(57)【要約】      （修正有）【課題】ベタ印刷や地紋印刷を施すことによる接着力の調整の困難さを解消するとともに、インキによる層間剥離の発生を解消するために、印刷によらず接着力を調整し、かつ、隠蔽情報が透けて見えることを防止できる、二枚のシートを接着剤で接着してなる隠蔽用重ね合わせシートを提供する。【解決手段】隠蔽用重ね合わせシートは、二枚のシート３，８を色素を添加した接着剤５を介して接着してなるもので、色素としてはカーボンブラックが好適であり、接着剤５としては、接着剤とカーボンブラックと水を、重量比９０対２対８の割合で混合したものがある。【選択図】図１
2007260951.tif 000002
【特許請求の範囲】
【請求項１】
二枚のシートを色素を添加した接着剤を介して接着したことを特徴とする隠蔽用重ね合わせシート。
【発明の詳細な説明】
【技術分野】
【０００１】
本発明は、二枚のシートを接着剤で接着してなる重ね合わせシートに関し、特に、別途用意した他のシートと重ね合わせ接着することによって、他のシートまたは本重ね合わせシートの重ね合わせ接着面の少なくとも一方に表示した情報を隠蔽するための隠蔽用重ね合わせシートに関する。
【背景技術】
【０００２】
従来のこの種の二枚のシートを接着剤で接着してなる隠蔽用重ね合わせシートは、その接着力を調整するためと、隠蔽する情報が透けて視認されることを防ぐために、接着面にベタ印刷や地紋印刷を施しているのが一般的である。
【０００３】
【特許文献１】特開平５−２０１１７７号公報
【発明の開示】
【発明が解決しようとする課題】
【０００４】
しかし、この従来のベタ印刷や地紋印刷を施すことによる接着力の調整は、所望の接着力を得るように、インキの盛量を調整することが困難で、特にベタ印刷の場合に、インキによる層間剥離などで不必要に剥離したり、これとは反対に接着力が強すぎて円滑に剥離されないという不都合があった。本発明は、このような不都合を解消した二枚のシートを接着剤で接着してなる隠蔽用重ね合わせシートを提供することを目的とする。
【課題を解決するための手段】
【０００５】
この目的を達成するために、本発明の請求項１に係る隠蔽用重ね合わせシートは、二枚のシートを色素を添加した接着剤を介して接着したものである。なお、本明細書における以下の説明においては、一旦接着すると剥離困難な通常の接着力を有する接着剤を強接着剤と称し、一旦接着しても剥離可能な通常よりも弱い接着力を有する接着剤を弱接着剤と称する。
【発明の効果】
【０００６】
本発明に係る隠蔽用重ね合わせシートによれば、接着剤自体に色素を添加して接着力を調整するので、ベタ印刷や地紋印刷を別途施す必要がなくなり、インキ盛量の調整が不要となるとともに、インキによる層間剥離の虞もなく、接着力の調整が容易になり、また、隠蔽する情報が透けて視認されることがないという効果を奏する。
【発明を実施するための最良の形態】
【０００７】
以下、本発明の好適な実施形態を添付図面に基づき説明する。ここにおいて、図１は第１実施形態を示す概略的な断面図、図２は同じく平面図、図３は第２実施形態を示す概略的な断面図、図４は第３実施形態を示す概略的な断面図、図５は第４実施形態を示す概略的な断面図、図６は第５実施形態を示す概略的な断面図である。
【０００８】
図１及び図２に示すように、葉書シート１は、折り用ミシン目２によって、宛名表示シート３と説明文表示シート４とに区画されている。前記葉書シート１の裏面（反表出面）側には、前記宛名表示シート３に対応する部分に、色素としてカーボンブラックを添加してなる通常の接着力を有する本発明に係る強接着剤５を全面的に設け、前記説明文表示シート４に対応する部分に、接着後に剥離可能な弱い接着力を有する公知の透視可能な弱接着剤６を全面的に設けている。そして、この弱接着剤６を剥離紙７で被覆する一方、前記強接着剤５によって記入シート８を前記宛名表示シート３に剥離困難に強接着している。前記宛名表示シート３と前記記入シート８と前記強接着剤５によって隠蔽用重ね合わせシートを構成する。
【０００９】
図２に示すように、記入シート８の表出面には、記入欄９を設けている。また、図示してはいないが、前記宛名表示シート３の表出面には宛先を表示し、説明文表示シート４の表出面には案内文を表示する一方、前記説明文表示シート４の弱接着剤６塗布面には説明文を表示している。前記弱接着剤６は透視可能であるから、前記説明文を明確に視認することが可能である。なお、図２に示す剥離紙７の表出面には、前記記入欄９への記入方法や、記入例を表示することもできる。
【００１０】
上述の色素としてカーボンブラックを添加してなる強接着剤５は、接着剤とカーボンブラックと水を、重量比９０対２対８で混合してなるもので、前記混合する接着剤としては、公知のものを使用すればよいが、例えば、酢酸ビニル樹脂を主成分とし、粘度は２０００±５００ｍＰａ・ｓ／２５°Ｃのものが好適である。また、前記カーボンブラックとしては、公知のものを使用すればよいが、例えば、表面官能基がカルボキシル基等で、外部比表面積（ＳＴＳＡ）が４０〜２５０ｍ２／ｇ、アグリゲートのストークス相当径分布のモード径Ｄｓｔが３０〜２００ｎｍ、同分布における半値幅ΔＤｓｔが１５０ｎｍ以下のカーボンブラックが好適で、さらに好ましくは、カーボンブラック粒子表面のカルボキシル基がカーボンブラック粒子の外部比表面積（ＳＴＳＡ）当たり１．０μｍｏｌ／ｍ２以上に湿式酸化処理されたものがある（特開２００６−８８７９参照）。
【００１１】
本実施形態は以上のように構成したので、記入シート８の記入欄９に隠蔽情報である所定の記入事項１０を記入し、剥離紙７を剥離して弱接着剤６を露出し、葉書シート１を折り用ミシン目２で二つ折りして、重ね合わせ面を前記弱接着剤６で接着すると、隠蔽葉書（図示せず）が形成される。そして、記入欄９の記入事項１０と説明文表示シート４の説明文は隠蔽されて、外部からは視認不能な状態となる。この時、記入欄９の記入事項１０は、記入シート８の裏面側にカーボンブラックを添加してなる強接着剤５が存在するので、記入事項１０とカーボンブラックが視覚的に一体化し、前記各シート３，４の外側からの視認が確実に阻止される。
【００１２】
一方、弱接着剤６は剥離可能なので、重ね合わせ接着状態にある隠蔽葉書の重ね合わせ面を剥離すれば、見開き状態となって、隠蔽されていた記入事項１０及び説明文が視認可能となる。
【００１３】
続いて、本発明の第２実施形態を図３に基づいて説明する。隠蔽葉書１１は、２枚の透視可能な樹脂フィルム１２，１３を剥離可能に疑似接着するとともに、前記樹脂フィルム１２は、上記強接着剤５と同様の色素としてカーボンブラックを添加してなる通常の接着力を有する強接着剤１５によって、宛名表示シート１４に剥離困難に接着し、前記樹脂フィルム１３は通常の接着力を有する透視可能な強接着剤１６で隠蔽情報表示シート１７に剥離困難に接着したものである。そして、隠蔽情報表示シート１７の強接着剤１６塗布部分には、隠蔽して伝達する隠蔽情報（図示せず）をあらかじめ表示し、その表出面側にも案内文や説明文（ともに図示せず）を表示している。
【００１４】
なお、宛名表示シート１４と樹脂フィルム１２と強接着剤１５とによって、隠蔽用重ね合わせシートを構成する。また、図示していない隠蔽情報は、強接着剤１５が存在するため、隠蔽情報と強接着剤１５のカーボンブラックが視覚的に一体化し、各シート１４，１７の外側からの視認を確実に阻止することができる。そして、本実施形態にあっては、各樹脂フィルム１２，１３間を剥離して見開き状態とし、隠蔽情報を樹脂フィルム１３を透して視認することができる。
【００１５】
続いて、本発明の第３実施形態を、図４に基づいて説明する。上位シート２１の裏面（反表出面）側には、通常の接着力を有する強接着剤２３を全面的に設け、下位シート２２の裏面（反表出面）側には、上記強接着剤５と同様の色素としてカーボンブラックを添加してなる通常の接着力を有する強接着剤２４を部分的に地紋状に設け、各強接着剤２３，２４によって、前記各シート２１，２２を剥離困難に接着している。前記各強接着剤２３，２４はカーボンブラックの添加の有無が相違するだけの同一組成の接着剤で構成すると、強接着剤２３，２４同士の接着力が良好となり好適である。
【００１６】
このように構成した第３実施形態の隠蔽用重ね合わせシートは、第１実施形態の隠蔽用重ね合わせシートと同様に、前記各シート２１，２２のいずれかの表出面に隠蔽情報（図示せず）を表示し、この隠蔽情報表示面に剥離可能な弱い接着力の弱接着剤を設けた隠蔽シート（図示せず）を剥離可能に接着して使用するものである。隠蔽情報は、強接着剤２４が存在するため、隠蔽情報と強接着剤２４のカーボンブラックが視覚的に一体化し、外部からの視認を確実に阻止することができる。
【００１７】
続いて、本発明の第４実施形態を、図５に基づいて説明する。上位シート３１の裏面（反表出面）側には、上記強接着剤５と同様の色素としてカーボンブラックを添加してなる通常の接着力を有する強接着剤３４を全面的に設け、下位シート３２の裏面（反表出面）側には、通常の接着力を有する強接着剤３３を部分的に地紋状に設け、各強接着剤３３，３４によって、前記各シート３１，３２を剥離困難に接着している。このように構成した第４実施形態の隠蔽用重ね合わせシートの各強接着剤３３，３４は、上述の第３実施形態の各強接着剤２３，２４と、全面的あるいは部分的な塗布状態が反対の関係にある。なお、前記強接着剤３３は前記強接着剤３４よりも多少接着力を強くして、線状に塗布してもよい。
【００１８】
このように、全面的に設けた強接着剤３４と、部分的に設けた強接着剤３３とを組み合わせて使用することによって、各強接着剤３３，３４による接着力が良好となり、接着状態を確実に保ちながら、全面着色状態となる。
【００１９】
続いて、図６に基づき本発明の第５実施形態を説明する。隠蔽シート４１の裏面（反表出面）側には、色素として上記強接着剤５に関して説明したカーボンブラックと同様のカーボンブラックを添加してなる弱接着剤４３を全面的に設けている。この弱接着剤４３は、一旦接着後にも剥離可能な接着力の弱い接着剤であり、接着力の調整はカーボンブラックの添加量で調整する。そして、前記弱接着剤４３は、剥離紙４２によって被覆されている。本実施形態の隠蔽シート４１と弱接着剤４３と剥離紙４２とからなる隠蔽用重ね合わせシートは、別途用意した隠蔽情報を表示したシート（図示せず）の隠蔽情報表示面に、剥離紙４２を剥離して露出した弱接着剤４３により隠蔽シート４１を剥離可能に接着し、隠蔽情報を被覆隠蔽することができる。したがって、本実施形態の隠蔽シート４１は、上述の第３及び第４実施形態における隠蔽情報を被覆する隠蔽シートとしても使用することもできる。
【００２０】
なお、本発明は、上述の各実施形態に限定されるものではなく、例えば、接着剤に添加する色素は、カーボンブラックに限らず、各種の色彩のものを採用できるが、隠蔽性を高めるためには、濃色のものが好ましい。
【図面の簡単な説明】
【００２１】
【図１】第１実施形態を示す概略的な断面図。
【図２】同じく平面図。
【図３】第２実施形態を示す概略的な断面図。
【図４】第３実施形態を示す概略的な断面図。
【図５】第４実施形態を示す概略的な断面図。
【図６】第５実施形態を示す概略的な断面図。
【符号の説明】
【００２２】
１      葉書シート
２      折り用ミシン目
３，１４      宛名表示シート
４      説明文表示シート
５，１５，２４，３４      色素を添加した強接着剤
６      弱接着剤
７，４２      剥離紙
８      記入シート
９      記入欄
１０      記入事項
１１      隠蔽用重ね合わせシート
１２，１３      透明樹脂フィルム
１６，２３，３３      強接着剤
１７      隠蔽情報表示シート
２１，３１      上位シート
２２，３２      下位シート
４１      隠蔽シート
４３      色素を添加した弱接着剤
【図１】
2007260951.tif 000003
【図２】
2007260951.tif 000004
【図３】
2007260951.tif 000005
【図４】
2007260951.tif 000006
【図５】
2007260951.tif 000007
【図６】
2007260951.tif 000008